(57)【要約】【課題】樹脂で被覆されたロープは、巻き癖を有しているので、ロープの据付時にロープを下方に向かって垂らしても、ロープを真っ直ぐ垂らすことができず、ロープ同士が捩じれて干渉を起こすものであった。ロープ同士の捩れは、昇降路内の機器に干渉したり、引っ掛かり等が発生する可能性があり、ロープの引き回し作業に悪影響を及ぼすものであった。【解決手段】ロープ５を掛けるプーリ２１と、プーリ２１を回転可能に支持する軸２２と、ロープ５に張力を付加するための錘２３と、軸２２の両端と錘２３を連結する２つのブラケット２４（２４ａ、２４ｂ）とを備え、２つのブラケット２４（２４ａ、２４ｂ）のうち、少なくとも１つのブラケット２４ａと錘２３との間には隙間が形成され、少なくとも１つのブラケット２４ａには、隙間を塞ぐ着脱可能な開閉金具２５を設けた。【選択図】  図４
2019089656.tif 000002
【特許請求の範囲】
【請求項１】
ロープを掛けるロープ接触部材と、
前記ロープに張力を付加するための錘と、
前記ロープ接触部材と前記錘を接続する接続部材とを備えたことを特徴とするエレベーター用ロープの据付治工具。
【請求項２】
請求項１において、
前記接続部材と前記錘との間には隙間が形成され、前記接続部材には前記隙間を塞ぐ開閉部材を設けたことを特徴とするエレベーター用ロープの据付治工具。
【請求項３】
請求項１または２において、
前記ロープ接触部材は、下方が開いたＵ字状をなし、前記Ｕ字状の部分に前記ロープが掛けるようにしたことを特徴とするエレベーター用ロープの据付治工具。
【請求項４】
請求項３において、
前記Ｕ字状の部分を複数設けたことを特徴とするエレベーター用ロープの据付治工具。
【請求項５】
請求項１または２において、
前記ロープ接触部材には、摺動部材を設けたことを特徴とするエレベーター用ロープの据付治工具。
【請求項６】
請求項１において、
前記接続部材には、前記錘と接続するリンクを設けたことを特徴とするエレベーター用ロープの据付治工具。
【請求項７】
請求項６において、
前記接続部材は、前記リンクを介して前記錘に対して回転可能に設けられていることを特徴とするエレベーター用ロープの据付治工具。
【請求項８】
ロープを掛けるプーリと、
前記プーリを回転可能に支持する軸と、
前記ロープに張力を付加するための錘と、
前記軸の両端と前記錘を連結する２つのブラケットとを備え、
前記２つのブラケットのうち、少なくとも１つのブラケットと前記錘との間には隙間が形成され、
前記少なくとも１つのブラケットには、前記隙間を塞ぐ着脱可能な開閉部材を設けたことを特徴とするエレベーター用ロープの据付治工具。
【請求項９】
請求項８において、
前記プーリには前記ロープを巻き掛ける複数本の溝を設けたことを特徴とするエレベーター用ロープの据付治工具。
【請求項１０】
請求項８または９において、
前記開閉部材は、前記ブラケットにボルトで固定されることを特徴とするエレベーター用ロープの据付治工具。
【発明の詳細な説明】
【技術分野】
【０００１】
本発明は、エレベーター用ロープの据付治工具に関する。
【背景技術】
【０００２】
一般に、エレベーターの乗りかごはロープによって懸架されており、このロープを巻上機の駆動シーブに巻き掛け、シーブ表面のロープ溝とロープとの摩擦によって駆動力が伝達され乗りかごを昇降させている。
【０００３】
ところで、例えば巻上機を昇降路内に設置した機械室レスエレベーターでは、昇降路内の空間を縮小するために、巻上機の小型化が求められている。この実現手段として、駆動シーブの小径化がある。駆動シーブを小径化することによって、巻上機のトルク低減が可能となりモーターの小型化が可能となるため、巻上機を小型化することができる。
【０００４】
しかし、駆動シーブの直径はロープの直径の４０倍以上にする必要があるため（エレベーター規格：ＥＮ８１−２０／５０  ５．５．２．１）、ロープも小径化しなければならない。ロープの強度は直径の２乗に比例（断面積に比例）するため、細いロープを使用するとロープ本数を増やさなければならないが、シーブの軸方向の寸法が増加するため、胴長な巻上機となり昇降路のレイアウト性が低下してしまう。したがって、小径かつ高強度なロープが求められている。
【０００５】
ロープを高強度化する構成として、例えば特許文献１に開示のようにロープを樹脂で被覆した技術が提案されている。特許文献１に開示されたロープは、鋼製の素線を撚り合わせて撚線を作り、この撚線を複数束にして中間被覆材で覆い、さらに中間被覆材と撚線群を樹脂材で覆うように構成している。このように樹脂で被覆したロープは摩擦係数が高いので、エレベーターを据付時、ブレーキで回転を規制された駆動シーブへの引き回し作業が悪化していた。そこで、特許文献１に記載の技術においては、駆動シーブの溝に摺動部材を設け、樹脂で被覆したロープの引き回し作業を容易に行えるようにしている。
【先行技術文献】
【特許文献】
【０００６】
【特許文献１】特開２０１５−７４５４４号公報
【発明の概要】
【発明が解決しようとする課題】
【０００７】
ロープは一般的にドラムに巻かれた状態で運搬される。樹脂で被覆されたロープも同様にドラムに巻かれた状態で運搬される。エレベーターの据付時は、ロープをドラムから引き出し、駆動シーブや乗りかご、釣合い錘にロープを引き回す。
【０００８】
しかしながら、特許文献１に記載のような樹脂で被覆されたロープは、ドラムに巻かれたことによって巻き癖が生じやすく、また樹脂によって軽量化されているので、ロープをドラムから引き出し下方に向かって垂らしても巻き癖が取れない状態にある。
【０００９】
このため、特許文献１に記載の技術においては、エレベーター据付時、ロープを下方に向かって垂らしても、ロープを真っ直ぐ垂らすことができず、ロープ同士が捩じれて干渉を起こすものであった。ロープ同士の捩れは、昇降路内の機器に干渉したり、引っ掛かり等が発生する可能性があり、ロープの引き回し作業に悪影響を及ぼすものであった。
【００１０】
特許文献１に記載の技術においては、駆動シーブ上でのロープの引き回し作業は容易に行えるが、樹脂で被覆されたロープ特有の課題である巻き癖への対応については一切考慮されていなかった。
【００１１】
本発明の目的は前記課題を解決し、樹脂で被覆されたロープの引き回し作業を向上させたロープの据付治工具を提供することにある。
【課題を解決するための手段】
【００１２】
前記目的を達成するために本発明の特徴とするところは、ロープを掛けるロープ接触部材と、前記ロープに張力を付加するための錘と、前記ロープ接触部材と前記錘を接続する接続部材とを備えたことにある。
【００１３】
また本発明の特徴とするところは、ロープを掛けるプーリと、前記プーリを回転可能に支持する軸と、前記ロープに張力を付加するための錘と、前記軸の両端と前記錘を連結する２つのブラケットとを備え、前記２つのブラケットのうち、少なくとも１つのブラケットと前記錘との間には隙間が形成され、前記少なくとも１つのブラケットには、前記隙間を塞ぐ着脱可能な開閉部材を設けたことにある。
【発明の効果】
【００１４】
本発明によれば、樹脂で被覆されたロープの引き回し作業を向上させたロープの据付治工具を提供することができる。
【図面の簡単な説明】
【００１５】
【図１】本発明の第１実施例に係るエレベーターの全体構成図である。
【図２】一般的なエレベーター据付時の全体構成図である。
【図３】樹脂被覆ロープを用いたエレベーター据付時の全体構成図である。
【図４】本発明の第１実施例に係るエレベーターのロープ据付治工具の外観斜視図である。
【図５】本発明の第１実施例に係る樹脂被覆ロープの据付方法を説明する図である。
【図６】本発明の第２実施例に係るエレベーターのロープ据付治工具の外観斜視図である。
【図７】本発明の第３実施例に係るエレベーターのロープ据付治工具の外観斜視図である。
【図８】本発明の第４実施例に係るエレベーターのロープ据付治工具の使用例を示す外観斜視図である。
【発明を実施するための形態】
【００１６】
以下、本発明に係るロープの据付治工具の実施例を図面に基づいて説明する。本発明は以下の実施例に限定されることなく、本発明の技術的な概念の中で種々の変形例や応用例もその範囲に含むものである。
【実施例１】
【００１７】
本発明の第１実施例について、図１乃至図５を用いて説明する。図１は、本発明の第１実施例に係るエレベーターの全体構成図である。
【００１８】
図１に示すように第１実施例におけるエレベーター１は、建屋内に設けられた昇降路２内を上下方向に移動する乗りかご３及び釣合い錘４と、乗りかご３及び釣合い錘４を支持するロープ５と、乗りかご３及び釣合い錘４を上下方向に移動させる巻上機６と、ロープ５が巻き掛けられ昇降路２の頂部に設置された複数の転向プーリ７と、ロープ５の端末を建屋から出ている建屋梁８に固定するためのロープ端末部９とを有している。釣合い錘４には、プーリ４０が設けられ、プーリ４０のロープ溝にロープ５が巻き掛けられている。巻上機６には駆動プーリ６０が設けられ、この駆動プーリ６０のロープ溝にロープ５が巻き掛けられている。第１実施例では巻上機６が昇降路２内の下部に設置されているが、例えば巻上機６が昇降路２内の上部に設置されていても、巻上機６が機械室に設置されていても良い。
【００１９】
図２は、一般的なエレベーター据付時の全体構成図である。ロープ５を据付ける前は乗りかご３は完全には組み立てておらず、乗りかご３の一部であるステージ３ａまで組み立て、昇降路２内の頂部に設置したウインチ（図示せず）で吊るしている。また、ロープ５の束はステージ３ａに設置されており、釣合い錘４は昇降路２内の最下部に置かれた状態にある。
【００２０】
この状態からロープ５を据付けるには、基本的にまず片方のロープ端末部９を建屋梁８に固定した後、建屋梁８の頂部に設置された転向プーリ７にロープ５を通し、昇降路２の下部に設置された釣合い錘４と巻上機６に向かってロープ５をＵ字で垂らしていく。そして、上から垂れてきたロープ５を釣合い錘４のプーリ４０及び巻上機６の駆動プーリ６０に掛け、エレベーター１の各機器にロープ５を据付けていく。
【００２１】
樹脂被覆ロープを用いた場合の例について、図３を用いて説明する。図３は樹脂被覆ロープを用いたエレベーター据付時の全体構成図である。樹脂被覆ロープの場合はロープの巻き癖が取れにくいため、ロープ５をＵ字で垂らす際にはロープ５が真っ直ぐ下方に垂れず、ロープが捩れてしまう。樹脂被覆ロープは自重が軽いので、巻き癖と相まって真っ直ぐ下方に垂れ難い。そのため、昇降路２内のブラケットや梁と干渉し、ロープ５が引っかかってしまうため、据付作業が困難となる。
【００２２】
この課題を解決するための手段について、図４及び図５を用いて説明する。図４は、本発明の第１実施例に係るエレベーターのロープ据付治工具の外観斜視図である。
【００２３】
図４において、据付治工具２０は、複数本のロープ５を同時に掛けることのできるプーリ２１（ロープ接触部材）と、プーリ２１を回転可能に支持する軸２２と、ロープ５に張力を付加するための錘２３と、軸２２と錘２３を連結する接続部材としての２つのブラケット２４（２４ａ、２４ｂ）と、ロープ５を据付治工具２０に取付け・取外しするための開閉部材としての開閉金具２５とにより構成されている。開閉金具２５はブラケット２４ａ、２４ｂの何れか一方に設けられ、ブラケット２４と錘２３とを接続している。
【００２４】
本実施例においては、開閉金具２５はブラケット２４ａに設けているが、ブラケット２４ａ、２４ｂの両方に設けるようにしても良い。ブラケット２４ａと開閉金具２５とはボルト３０(３０ａ)によって固定されている。錘２３と開閉金具２５とはボルト３０(３０ｂ)によって固定されている。そして、ボルト３０ａ、３０ｂを外すことにより、開閉金具２５を２つのブラケット２４ａから取り外すことができる。開閉金具２５は２つのブラケット２４ａ、２４ｂの少なくとも１つに設けるようにする。
【００２５】
プーリ２１には同時に据付けるロープ５の本数分だけ溝が切る必要があるが、１本のみ溝が形成されているプーリをロープ本数分だけ並列に複数配置した構成としても良い。プーリを複数並べた構成の場合、それぞれのプーリは軸２２によってブラケット２４に回転可能に軸支される。
【００２６】
錘２３に必要な質量は、プーリ２１に引っ掛けるロープ５の本数によって異なるが、ロープ１本につき約５ｋｇの荷重を付加しなければロープ５下方に垂れ下がらない。そこで、本実施例では、据付作業性を考慮し、１５ｋｇ前後を最大質量とすることが望ましい。また、プーリ２１に引っ掛けるロープ５の本数が１本であると、捩れを起こす可能性があるので、プーリ２１に引っ掛けるロープ５の本数は少なくとも２本（複数本）以上であることが好ましい。
【００２７】
したがって、同時に据付けるロープ５も２〜３本までとするのが良い。本実施例ではプーリ２１に３本のロープ溝を形成している。
【００２８】
次に据付治工具２０を用いたロープ５の設置方法について、図５を用いて説明する。図５は、本発明の第１実施例に係る樹脂被覆ロープの据付方法を説明する図である。
【００２９】
ロープ５を据付ける前は乗りかご３は完全には組み立てておらず、乗りかご３の一部であるステージ３ａが組み立てられ、昇降路２内の頂部に設置したウインチ（図示せず）で吊るしている。ロープ５の束はステージ３ａに設置されており、釣合い錘４は昇降路２内の最下部に置かれている。
【００３０】
ロープ５の据付にあたっては、まず、片方のロープ端末部９を建屋梁８に固定した後（ロープ５の一端を建屋梁８に固定する工程）、建屋梁８の頂部に設置された２つの転向プーリ７である第１の転向プーリ７ａ及び第２の転向プーリ７ｂにロープ５を通す（建屋梁８に設置された第１の転向プーリ７ａ及び第２の転向プーリ７ｂにロープを通す工程）。次に、ロープ端末部９と第１の転向プーリ７ａとの間のロープ５に第１の据付治工具２０ａを取り付ける（ロープ端末部９と第１の転向プーリ７ａとの間のロープ５に第１の据付治工具２０ａを取り付ける工程）。第１の据付治工具２０ａの取り付けにあたっては、ボルト３０ａ、３０ｂを緩め、開閉金具２５を錘２３及びブラケット２４から取り外す。開閉金具２５を取り外すと、錘２３とブラケット２４との間に隙間が形成され、この隙間からロープ５を挿入し、プーリ２１のロープ溝にロープ５を掛ける。その後、開閉金具２５をボルト３０ａ、３０ｂを用いて錘２３及びブラケット２４に取り付け、隙間を塞ぐ。これにより、ロープ５への第１の据付治工具２０ａの取り付けが完了する。完了後、第１の据付治工具２０ａを下方に垂らす（第１の据付治工具２０ａを下方に垂らす工程）。ロープ５は据付治工具２０ａに引っ張られ、Ｕ字状になって下方に垂れ下がる。据付治工具２０ａのプーリ２１は、回転しながらロープ５を下方に引っ張る。本実施例では、据付治工具２０ａのプーリ２１が回転しながらロープを引っ張るので、摩擦係数が高い樹脂被覆ロープであっても容易に据付治工具２０ａ及びロープ５を下方に移動させることができる。
【００３１】
また、第１の転向プーリ７ａと第２の転向プーリ７ｂとの間のロープ５に第２の据付治工具２０ｂを取り付ける（第１の転向プーリ７ａと第２の転向プーリ７ｂとの間のロープ５に第２の据付治工具２０ｂを取り付ける工程）。第２の据付治工具２０ｂへのロープ５の取り付けは、第１の据付治工具２０ａと同様であるので、説明は省略する。ロープ５を第２の据付治工具２０ｂに取り付け後、第２の据付治工具２０ｂを下方に垂らす（第２の据付治工具２０ｂを下方に垂らす工程）。ロープ５は据付治工具２０ｂに引っ張られ、Ｕ字状になって下方に垂れ下がる。本実施例では、据付治工具２０ｂのプーリ２１が回転しながらロープを引っ張るので、摩擦係数が高い樹脂被覆ロープであっても容易に据付治工具２０ｂ及びロープ５を下方に降ろすことができる。
【００３２】
第１の据付治工具２０ａ及び第２の据付治工具２０ｂが昇降路２の底部に到達したら、第１の据付治工具２０ａ及び第２の据付治工具２０ｂからロープ５を取り外す（第１の据付治工具２０ａ及び第２の据付治工具２０ｂからロープ５を取り外す工程）。第１の据付治工具２０ａ及び第２の据付治工具２０ｂからロープ５を取り外すにあたっては、ロープ５の取り付け時と同様、開閉金具２５を錘２３及びブラケット２４から取り外し、錘２３とブラケット２４との隙間からロープ５を引き出す。これにより、ロープ５の取り外しが完了する。本実施例では隙間を塞ぐ着脱可能な開閉金具２５を設けるようにしているので、据付治工具２０へのロープ５の取り付け、取り外しを容易に行うことができる。
【００３３】
第１の据付治工具２０ａから取り外したロープ５は、釣合い錘４のプーリ４０に掛けられる。また、第２の据付治工具２０ｂから取り外したロープ５は、巻上機６の駆動プーリ６０に掛けられる。なお、釣合い錘４と巻上機６の位置を変え、第１の据付治工具２０ａから取り外したロープ５を巻上機６の駆動プーリ６０に掛け、第２の据付治工具２０ｂから取り外したロープ５釣合い錘４のプーリ４０に掛けるようにしても良い（第１の据付治工具２０ａ及び第２の据付治工具２０ｂから外したロープ５を釣合い錘４及び巻上機６に掛ける工程）。
【００３４】
次にロープ５を、乗りかご３の底部を構成するステージ３ａの下部に掛け（ロープ５を乗りかご３に掛ける工程）、ロープ５のロープ端末部９を建屋梁８に固定する（ロープ５の他端を建屋梁に固定する工程）。
【００３５】
Ｕ字状にして降ろすロープ５が１本の場合、降ろしている途中でロープが回転しねじれてしまう可能性がある。したがって、同時に降ろすロープ５は２本以上の複数本とするのが望ましい。本実施例では複数本のロープ５を一度に纏めて作業できるため、作業効率の向上を図ることができる。
【００３６】
本実施例によれば、樹脂で被覆されたロープをＵ字状にして下方に垂らす際に、ロープに据付治工具を掛けるようにしているので、ロープの捩れによる昇降路内の機器への干渉を抑制し、ロープの引き回し作業を向上させることができる。
【実施例２】
【００３７】
次に本発明の第２実施例について図６を用いて説明する。図６は本発明の第２実施例に係るエレベーターのロープ据付治工具の外観斜視図である。第１実施例と同一の構成については、同一の符号を付して、その説明は省略する。
【００３８】
第２実施例では、第１実施例おける据付治工具２０のプーリ２１に代えて、フック２６（ロープ接触部材）を設けている。フック２６は、下方が開いたＵ字状をなしており、このＵ字状の部分は、設置するロープの本数に合わせ、複数設けられている。本実施例では３本のロープが掛けられるよう３つのＵ字状のフックが連接されて設けられている。
【００３９】
フック２６と接続されたブラケット２４ａには、開閉金具２５が設けられ、ブラケット２４ａと錘２３とを接続している。本実施例においては、開閉金具２５はブラケット２４ａに設けているが、ブラケット２４ａ、２４ｂの両方に設けるようにしても良い。ブラケット２４ａ、２４ｂは錘２３とフック２６と接続する接続部材として機能する。ブラケット２４ａと開閉金具２５とはボルト３０(３０ａ)によって固定されている。錘２３と開閉金具２５とはボルト３０(３０ｂ)によって固定されている。そして、ボルト３０ａ、３０ｂを外すことにより、開閉金具２５を錘２３及びブラケット２４ａから取り外すことができる。
【００４０】
開閉金具２５を取り外した後、ブラケット２４ａと錘２３との隙間からロープ５を挿入し、Ｕ字状部分にロープ５を掛ける。開閉金具２５を取り付けた後、据付治工具２０を下方に垂らす。ロープ５はＵ字状部分を滑り、据付治工具２０に引っ張られながら下方に移動する。
【００４１】
第１実施例で説明したように、樹脂で被覆されたロープは摩擦係数が高い。そこで、本実施例ではフック２６におけるロープ５と接触するＵ字状部分には、摺動部材を設けている。摺動部材としては、ポリアセタール樹脂、ポリアミド樹脂、ポリテトラフルオロエチレン樹脂で構成された部材を設けるようにすると良い。
【００４２】
本実施例によれば、樹脂で被覆されたロープをＵ字状にして下方に垂らす際に、ロープに据付治工具を掛けるようにしているので、ロープの捩れによる昇降路内の機器への干渉を抑制し、ロープの引き回し作業を向上させることができる。
【００４３】
また、本実施例によれば、ロープとの接触部をフックとしているので、簡単な構成で安価な据付治工具を提供することができる。
【実施例３】
【００４４】
次に本発明の第３実施例について図７を用いて説明する。図７は本発明の第３実施例に係るエレベーターのロープ据付治工具の外観斜視図である。第１実施例及び第２実施例と同一の構成については、同一の符号を付して、その説明は省略する。
【００４５】
第３実施例では、第２実施例おける据付治工具２０のフック２６に代えて、開放部を備えたフック２７を設けている。フック２７は、一端がリンク２８を介して錘２３に接続された腕部２７ａ（接続部材）と、他端が開放された引掛け部２７ｂ（ロープ接触部材）より構成されている。フック２７の引掛け部２７ｂは設置するロープの本数に合わせ、複数設けられている。本実施例では３本のロープが掛けられるよう３つの引掛け部２７ｂが設けられている。腕部２７ａには、錘２３と接続するリンク２８が設けられている。リンク２８は、フック２７の引掛け部２７ｂに引掛けられるロープ５の長手方向と同方向に回転軸を備えており、フック２７がロープ５の長手方向を直交する方向に回転するようにしている（腕部２７ａはリンク２８を介して錘２３に対して回転可能に設けられている）。
【００４６】
据付治工具２０へのロープ５の取り付けにあたっては、フック２７の他端である引掛け部２７ｂの開放が上になるようにフック２７を回転させる（フック２７を倒す）。そして、引掛け部２７ｂの開放された部分からロープ５を挿入し、引掛け部２７ｂにロープ５を引掛ける。その後、腕部２７ａが垂直となるようにフック２７を回転させる（フック２７を起こす）。この時、腕部２７ａが垂直となるように付勢手段を設けるようにすると良い。また、隣合うフック２７同士の距離は、ロープ５の引掛け部２７ｂが近接した時、ロープの直径より狭くなるような範囲とすることが好ましい。これにより、引掛け部２７ｂからロープ５が外れた際、据付治工具２０の落下を防止できる。
【００４７】
第１実施例で説明したように、樹脂で被覆されたロープは摩擦係数が高い。そこで、本実施例ではフック２７の引掛け部２７ｂにおけるロープ５と接触する部分には、摺動部材を設けている。摺動部材としては、ポリアセタール樹脂、ポリアミド樹脂、ポリテトラフルオロエチレン樹脂で構成された部材を設けるようにすると良い。
【００４８】
本実施例によれば、樹脂で被覆されたロープをＵ字状にして下方に垂らす際に、ロープに据付治工具を掛けるようにしているので、ロープの捩れによる昇降路内の機器への干渉を抑制し、ロープの引き回し作業を向上させることができる。
【００４９】
また、本実施例によれば、ロープとの接触部をフックとしているので、簡単な構成で安価な据付治工具を提供することができる。
【００５０】
さらに実施例によれば、フック２７を回転させるだけで、ロープ５から据付治工具２０を着脱することができるので、開閉金具が不要となり、ロープ５の据え付け作業の効率を向上することができる。
【実施例４】
【００５１】
次に本発明の第４実施例について図８を用いて説明する。図８は本発明の第４実施例に係るエレベーターのロープ据付治工具の使用例を示す外観斜視図である。第１実施例乃至第３実施例と同一の構成については、同一の符号を付して、その説明は省略する。
【００５２】
第１実施例乃至第３実施例は、巻上機６の回転数を２倍にして荷重を半分に減らした所謂２：１ローピング方式のエレベーターの例を説明したが、第４実施例では昇降路の上部に巻上機を設置し、巻上機のプーリの両側にロープを介して乗りかご３と釣合い錘４とを設けた構成、所謂１：１ローピング方式のエレベーターの例を説明する。
【００５３】
１：１ローピング方式のエレベーターの場合、ロープの据付作業にあたってはロープの端部を下方に垂らす。すなわち、１：１ローピング方式のエレベーターの場合には、ロープをＵ字状にして下方に垂らす作業は発生しない。そこで本実施例では、ロープの端部と据付治工具を降ろす方法について説明する。
【００５４】
本実施例では、プーリ２１にロープ５を掛け（プーリ２１にロープ５を掛ける工程）、ロープ５の端部をロープ５に接触させ、結線バンド１０等の固定手段で固定する（ロープ５の端部をロープ５に接触させ、固定手段で固定する工程）。
【００５５】
この状態で、据付治工具２０と共にロープ５を降ろす（据付治工具２０とロープ５を降ろす工程）。据付治工具２０が昇降路２の底部に到着したら、結線バンド１０を外し、据付治工具２０からロープ５を外す（固定手段を外して据付治工具２０からロープ５を外す工程）。その後、ロープ５を乗りかご３または釣合い錘４に固定する（ロープ５を乗りかご３または釣合い錘４に固定する工程）。
【００５６】
本実施例によれば、樹脂で被覆されたロープを下方に垂らす際に、ロープに据付治工具を掛けるようにしているので、ロープの捩れによる昇降路内の機器への干渉を抑制し、ロープの引き回し作業を向上させることができる。
【００５７】
以上、第１実施例乃至第４実施例で説明したように、本発明に係る各実施例によれば、樹脂で被覆されたようなロープの巻き癖の取れ難いロープであっても、ロープの据付作業を潤滑に行うことが可能となる。
【００５８】
なお、本発明は前述した実施形態に限定するものではなく、様々な変形例が含まれる。上述した実施形態は本発明を分かりやすく説明するために詳細に説明したものであり、必ずしも説明した全ての構成を備えるものに限定するものではない。
【符号の説明】
【００５９】
１  エレベーター
２  昇降路
３  乗りかご
３ａ  ステージ
４  釣合い錘
５  ロープ
６  巻上機
７  転向プーリ
７ａ  転向プーリ
７ｂ  転向プーリ
８  建屋梁
９  ロープ端末部
１０  結線バンド
２０  据付治工具
２０ａ  据付治工具
２０ｂ  据付治工具
２１  プーリ
２２  軸
２３  錘
２４  ブラケット
２４ａ  ブラケット
２４ｂ  ブラケット
２５  開閉金具
２６  フック
２７  フック
２７ａ  腕部
２７ｂ  引掛け部
２８  リンク
３０  ボルト
３０ａ  ボルト
３０ｂ  ボルト
４０  プーリ
６０  駆動プーリ
【図１】
2019089656.tif 000003
【図２】
2019089656.tif 000004
【図３】
2019089656.tif 000005
【図４】
2019089656.tif 000006
【図５】
2019089656.tif 000007
【図６】
2019089656.tif 000008
【図７】
2019089656.tif 000009
【図８】
2019089656.tif 000010